(57)【要約】      （修正有）【課題】ニホンザリガニの成体を比較的容易に飼育することができ、雌固体の抱卵率を高めるとともに卵数を増加させ、食卵、落卵あるいは腐卵の数を減少させ、卵の孵化率を高めることができ、さらに孵化した幼体の生存率を高めることができる装置を提供する。【解決手段】水槽内に設置してニホンザリガニの卵の人工孵化や孵化後の飼育を行うための装置であって、少なくとも天井面を除いた面が透明または半透明かつメッシュ状である六面体の飼育容器２と、全体として多角形状等を有するユニット３１から構成された敷材３と、メッシュ状の部材を用いて形成されて、開口部、通路部および居住部を備える。【選択図】図１
0003189901.tif 000002
【実用新案登録請求の範囲】
【請求項１】
水槽内に設置してニホンザリガニの卵の人工孵化や孵化後の飼育を行うための装置であって、
少なくとも天井面を除いた面が透明または半透明かつ孔径が２ｍｍ〜６ｍｍのメッシュ状である六面体の飼育容器と、
全体として多角形状、反り形状または凹凸形状を有するユニットから構成された敷材と、
孔径が２ｍｍ〜６ｍｍであるメッシュ状の部材を用いて形成されて、開口部、通路部および居住部を備え、前記通路部の長手方向に対する垂直方向の断面の直径の長さと比較して前記居住部の長手方向に対する垂直方向の断面の直径の長さが大である１または２以上の人工巣穴と
を備える前記装置。
【請求項２】
水槽内に設置してニホンザリガニの卵の人工孵化や孵化後の飼育を行うための装置であって、
少なくとも天井面を除いた面が透明または半透明かつ孔径が２ｍｍ〜６ｍｍのメッシュ状である六面体の飼育容器と、
全体として多角形状、反り形状または凹凸形状を有するユニットから構成されるとともに前記飼育容器の底面から少なくとも８ｃｍ以上となるように前記飼育容器に敷きつめられた敷材と、
孔径が２ｍｍ〜６ｍｍであるメッシュ状の部材を用いて形成されて、開口部、通路部および居住部を備え、前記通路部の長手方向に対する垂直方向の断面の直径の長さと比較して前記居住部の長手方向に対する垂直方向の断面の直径の長さが大であるとともに前記開口部の開口上面が露出された状態で前記敷材に埋設されるように前記通路部がわん曲した部分を有する１または２以上の人工巣穴と
を備える前記装置。
【請求項３】
水槽内に設置してニホンザリガニの卵の人工孵化や孵化後の飼育を行うための装置であって、
少なくとも天井面を除いた面が透明または半透明かつ孔径が２ｍｍ〜６ｍｍのメッシュ状である六面体の飼育容器と、
全体として多角形状、反り形状または凹凸形状を有するユニットから構成されるとともに前記飼育容器の底面から少なくとも８ｃｍ以上となるように前記飼育容器に敷きつめられた敷材と、
孔径が２ｍｍ〜６ｍｍであるメッシュ状の部材を用いて形成されて、開口部、通路部および居住部を備え、前記通路部の長手方向に対する垂直方向の断面の直径の長さが１．５ｃｍ〜３．５ｃｍであって前記居住部の長手方向に対する垂直方向の断面の直径の長さが４ｃｍ〜７ｃｍであるとともに前記開口部の開口上面が露出された状態で前記敷材に埋設されるように前記通路部がわん曲した部分を有する１または２以上の人工巣穴と
を備え、かつ、
前記開口部の開口上面の面積に対する前記ユニットにおける最大断面積の比が２５％より大である前記装置。
【考案の詳細な説明】
【技術分野】
【０００１】
本考案は、水槽内に設置してニホンザリガニの卵の人工孵化や孵化後の飼育を行うための装置に関する。
【背景技術】
【０００２】
ニホンザリガニ（Ｃａｍｂａｒｏｉｄｅｓ ｊａｐｏｎｉｃｕｓ；Ｄｅ Ｈａａｎ，１８４１）は、十脚目アメリカザリガニ科アジアザリガニ属に属するザリガニの一種であり、単にザリガニ、あるいはヤマトザリガニと呼ばれる場合もある。また、北海道全域と青森県の広い範囲、秋田、岩手県の北部に限産する日本固有種であり、かつては北日本の山地の川に多く生息していたが、現在は北海道、青森県、岩手県、秋田県に少数が生息するのみである。分布南限生息地である秋田県大館市相染沢地区は国指定の天然記念物になっているほか、環境省による「絶滅危惧II類」に指定される希少な種である。主な生息環境が河川の源流域や山間の湖沼であることから分布域は拡大しにくいものの、分布南限域よりも大幅に南に位置する栃木県日光市で新しい生息域が確認されている。
【０００３】
水温が冬季で２〜４℃程度、春・秋季で１０℃程度、夏季で１５℃程度の冷たくきれいな水に生息しており、主に広葉樹の落葉を食べながら、普段は安静な巣穴の中で生活している。成体の体長は５０〜６０ｍｍほどであり、稀に７０ｍｍに達するものもいるが、アメリカザリガニと比較して小さい。一方、体や脚はアメリカザリガニと比較して太く、ずんぐりした体型であり、体色は茶褐色である。繁殖期である春になると、雌は直径２〜３ｍｍほどの大粒の卵を３０〜６０個ほど産卵するが、アメリカザリガニと比較して卵数は少ない。産卵時に雌は卵を腹脚に抱え（以下、抱卵とする。）、孵化するまで保護する。孵化した子どもは親と同じ形態であり、しばらくの間、母親である雌成体の腹脚につかまって過ごすが、やがて親から離れて単独生活を始める。体長が４ｃｍになるまでに２〜３年、繁殖を始めるまでに５年を要し、アメリカザリガニと比較して成長が遅い。
【０００４】
このように、ニホンザリガニは極めて限定される環境下で生息していることから、人工的にニホンザリガニに抱卵させ、孵化させ、飼育するためには、上述した生息環境に近い安静な環境設定が必要となり、厳密な水温管理や水質管理、餌の選定、巣穴の設定などが要求されることが知られている。
【０００５】
従来、甲殻類を飼育するための水槽や装置としては、例えば、通水部を形成した仕切り部材によって内部を複数の室に分割し、その仕切り部材は透孔もしくはスリットを形成した透明な平板とし、底部を二重底構成として水の復路を形成した水槽（特許文献１）や、甲殻類を各別に収容するためのメッシュ状の飼育容器をそれぞれ水槽の底面から上方に離した状態で取外し自在に配設し、各飼育容器の上端に開口部を備え、各飼育容器内に新鮮な飼育水を各別に供給する飼育水供給手段を設け、各飼育容器内に気泡を各別に供給する気泡供給手段を設け、さらに、各飼育容器外に出た排泄物と残餌とを水槽の底部を一定方向に流れる水流により水槽の外部に排出させることを特徴とする甲殻類の飼育装置（特許文献２）などがある。
【０００６】
しかしながら、特許文献１に開示されている水槽は、生息環境が合致する前提で、甲殻類のほか、複数の観賞魚やイソギンチャク、ウミウシ、貝類などの水生動物、水生昆虫類、水草などを一つの水槽で同時に飼育し、あるいは栽培するための水槽であり、その目的が異なるうえ、構造も水槽内設置型ではなく異なっている。また、特許文献２に開示されている飼育装置は、容易な飼育管理と良好な環境状態の保持の下、集団飼育では生存率が低い種類または実験的に甲殻類を個体別に飼育するための装置であり、メッシュ状であるという点では共通するが、そもそも安静な環境を整えるという観点にない他、飼育水供給手段や気泡供給手段、循環水槽を備えている点、敷材と人工巣穴を備えていない点で異なっている。
【先行技術文献】
【特許文献】
【０００７】
【特許文献１】特開２００３−３０４７７４
【特許文献２】特開２００８−３５８００
【考案の概要】
【考案が解決しようとする課題】
【０００８】
すなわち、従来、ニホンザリガニに特化した、水槽内に設置して抱卵や卵の人工孵化、孵化後の飼育を行うための槽や装置というものがなく、本考案は、このような問題点を解決するためになされたものであって、ニホンザリガニの成体を比較的容易に飼育することができ、雌成体の抱卵率を高めるとともに卵数も増加させ、食卵、落卵あるいは卵の腐乱（以下、腐卵とする。）といった事態の発生を抑制し、卵の孵化率を高めることができ、さらに孵化した幼体の生存率を高めることができる装置を提供することを目的とする。
【課題を解決するための手段】
【０００９】
本考案者は、鋭意研究の結果、所定の飼育容器、敷材および巣穴を組み合わせた装置によってニホンザリガニに安静な環境を提供することができ、その結果、ニホンザリガニの成体を飼育することが容易になることの他、雌成体の抱卵率を高めるとともに卵数も増加させ、食卵、落卵あるいは腐卵といった事態の発生を抑制し、卵の孵化率を高めることができ、さらに孵化した幼体の生存率を高めることができることを見出し、下記の各考案を完成した。
【００１０】
（１）水槽内に設置してニホンザリガニの卵の人工孵化や孵化後の飼育を行うための装置であって、少なくとも天井面を除いた面が透明または半透明かつ孔径が２ｍｍ〜６ｍｍのメッシュ状である六面体の飼育容器と、全体として多角形状、反り形状または凹凸形状を有するユニットから構成された敷材と、孔径が２ｍｍ〜６ｍｍであるメッシュ状の部材を用いて形成されて、開口部、通路部および居住部を備え、前記通路部の長手方向に対する垂直方向の断面の直径の長さと比較して前記居住部の長手方向に対する垂直方向の断面の直径の長さが大である１または２以上の人工巣穴とを備える前記装置。
【００１１】
（２）水槽内に設置してニホンザリガニの卵の人工孵化や孵化後の飼育を行うための装置であって、少なくとも天井面を除いた面が透明または半透明かつ孔径が２ｍｍ〜６ｍｍのメッシュ状である六面体の飼育容器と、全体として多角形状、反り形状または凹凸形状を有するユニットから構成されるとともに前記飼育容器の底面から少なくとも８ｃｍ以上となるように前記飼育容器に敷きつめられた敷材と、孔径が２ｍｍ〜６ｍｍであるメッシュ状の部材を用いて形成されて、開口部、通路部および居住部を備え、前記通路部の長手方向に対する垂直方向の断面の直径の長さと比較して前記居住部の長手方向に対する垂直方向の断面の直径の長さが大であるとともに前記開口部の開口上面が露出された状態で前記敷材に埋設されるように前記通路部がわん曲した部分を有する１または２以上の人工巣穴とを備える前記装置。
【００１２】
（３）水槽内に設置してニホンザリガニの卵の人工孵化や孵化後の飼育を行うための装置であって、少なくとも天井面を除いた面が透明または半透明かつ孔径が２ｍｍ〜６ｍｍのメッシュ状である六面体の飼育容器と、全体として多角形状、反り形状または凹凸形状を有するユニットから構成されるとともに前記飼育容器の底面から少なくとも８ｃｍ以上となるように前記飼育容器に敷きつめられた敷材と、孔径が２ｍｍ〜６ｍｍであるメッシュ状の部材を用いて形成されて、開口部、通路部および居住部を備え、前記通路部の長手方向に対する垂直方向の断面の直径の長さが１．５ｃｍ〜３．５ｃｍであって前記居住部の長手方向に対する垂直方向の断面の直径の長さが４ｃｍ〜７ｃｍであるとともに前記開口部の開口上面が露出された状態で前記敷材に埋設されるように前記通路部がわん曲した部分を有する１または２以上の人工巣穴とを備え、かつ、前記開口部の開口上面の面積に対する前記ユニットにおける最大断面積の比が２５％より大である前記装置。
【考案の効果】
【００１３】
本考案に係る水槽内設置型のニホンザリガニ人工孵化・孵化後飼育装置によれば、ニホンザリガニの成体を比較的容易に飼育することができ、雌成体の抱卵率を高めるとともに卵数も増加させ、食卵、落卵あるいは腐卵といった事態の発生を抑制し、卵の孵化率を高めることができ、さらに孵化した幼体の生存率を高めることができることから、これまで困難であったニホンザリガニの成体の飼育のみならず、これまで極めて困難であった卵の人工孵化や孵化した幼体の飼育が可能となる。
【図面の簡単な説明】
【００１４】
【図１】本考案に係る水槽内設置型のニホンザリガニ人工孵化・孵化後飼育装置の一形態を表す図である。
【図２】本考案における敷材の一形態を表す図である。
【図３】本考案における人工巣穴の第一の形態を示す図である。
【図４】本考案における人工巣穴の第二の形態を示す図である。
【図５】本考案における人工巣穴の第三の形態を示す図である。
【考案を実施するための形態】
【００１５】
以下、本考案に係る水槽内設置型のニホンザリガニ人工孵化・孵化後飼育装置の一実施形態について、図面を用いて詳細に説明する。
【００１６】
本実施形態の水槽内設置型のニホンザリガニ人工孵化・孵化後飼育装置１は、図１に示すように、飼育容器２と敷材３と人工巣穴４とを備えている。以下、各構成について詳細に説明する。
【００１７】
上述の通り、ニホンザリガニは安静な環境下、水温が冬季で２〜４℃程度、春・秋季で１０℃程度、夏季で１５℃程度の冷たくきれいな水に生息することから、ニホンザリガニを人工飼育し、抱卵させ、人工孵化させるためには、季節に応じた適温の水が滞留しないような流水環境が必要となる。ニホンザリガニおよびその卵は外部からの刺激や水質の劣化に大変敏感であり、食卵、落卵あるいは腐卵の原因ともなるのであるが、単に水槽を設置してその水槽内に通水するような環境では水質の劣化を解消できず、このような環境では人工飼育すら困難であることが本願考案者により明らかにされている。そこで本願考案者は、安静な環境下、水温管理や通水を主な目的とする水槽を設置し、その水槽内にニホンザリガニを人工飼育し、抱卵させ、人工孵化させる装置を考案するに至ったのである。
【００１８】
本考案に係る人工孵化・孵化後飼育装置１はそのような環境下において用いられるものであることから、その本体となる本考案における飼育容器２は、流水下でも安定して設置が可能となるようにとの観点やニホンザリガニの生活空間を確保する観点などから六面体に形成され、また、水が滞留せずに季節に応じた適温のきれいな水が行き渡るよう、天井面を除いた面には孔径が２ｍｍ〜６ｍｍとなる多数の飼育容器孔２１を備えたメッシュ状に形成され、さらに、その内部を観察できるよう、少なくとも天井面を除いた面は透明または半透明に形成されている。
【００１９】
本実施形態の飼育容器２の材質としては、少なくとも天井面を除いた面が透明または半透明かつ孔径が２ｍｍ〜６ｍｍである六面体を実現できれば特に限定されないが、例えば、アクリル樹脂やポリカーボネイトなどの有機ガラスを用いたパンチングボードやパンチング加工したガラスなどを挙げることができる。
【００２０】
本実施形態の飼育容器孔２１の孔径について、２ｍｍ未満の場合は汚物や餌の食べかすなどが飼育容器孔２１を通過することができずに人工孵化・孵化後飼育装置１内（飼育容器２内）に滞留してしまい、水質が劣化してしまうため、また６ｍｍより大の場合は孵化した幼体が飼育容器孔２１を通過してしまい、人工孵化・孵化後飼育装置１外（飼育容器２外）へ流れ出てしまうため、２ｍｍ〜６ｍｍとなるように形成されている。
【００２１】
本実施形態の敷材３もまた、水が滞留せずに季節に応じた適温のきれいな水が行き渡ることを実現するため、図２に示すように、全体として多角形状３２や反り形状あるいは凹凸形状３３を有するユニット３１から構成されている。そのような敷材としては、例えば多角形状や反り形状、あるいは凹凸形状を有する濾材や角石などを挙げることができる。
【００２２】
また、ニホンザリガニは普段から警戒心が強く、特に抱卵から孵化までの３ヶ月程度の期間は周囲に対して非常にナーバスになり、ストレスによる食卵や落卵といった問題が生じてしまう。これら問題を防止するためには、安静な環境を提供してストレスを回避する必要がある。そこで、ニホンザリガニの居住空間となる人工巣穴４が敷材３で覆い隠されるように、飼育容器２に一定量の敷材３を敷きつめるのが好ましく、図１に示すように、人工巣穴４は、出入り口となる開口部４２が敷材３から露出するように人工巣穴４を敷材３に埋設するのが好ましいことが本願考案者によって明らかにされているから、敷材３は、飼育容器２の底面から少なくとも８ｃｍ以上となるように飼育容器２に敷きつめられることが好ましい。
【００２３】
本実施形態の人工巣穴４は、図３に示すように、人工巣穴孔４１を備えたメッシュ状の部材を用いて形成されて、開口部４２、通路部４３および居住部４４を備えている。また、通路部４３の長手方向に対する垂直方向の断面の直径４５の長さと比較して居住部４４の長手方向に対する垂直方向の断面の直径４６の長さが大となるように形成されており、通路部４３の長手方向に対する垂直方向の断面の直径４５の長さが１．５ｃｍ〜３．５ｃｍであって居住部４４の長手方向に対する垂直方向の断面の直径４６の長さが４ｃｍ〜７ｃｍであることが好ましい。
【００２４】
本実施形態の人工巣穴孔４１の孔径についてもまた、２ｍｍ未満の場合は汚物や餌の食べかすなどが人工巣穴孔４１を通過することができずに人工巣穴４内に滞留してしまい、水質劣化の要因となってしまうため、また６ｍｍより大の場合は、母親である雌成体の腹部から完全に離れ単独生活を開始する以前の幼体が意図せずに人工巣穴孔４１を通過してしまって人工巣穴４外へ流れ出てしまうため、飼育容器孔２１と同様に２ｍｍ〜６ｍｍとなるよう形成されている。
【００２５】
なお、本考案において、「『孔径が２ｍｍ〜６ｍｍであるメッシュ状の部材を用いて形成され』ている人工巣穴」とは、汚物や餌の食べかすなどが人工巣穴内に滞留しない範囲で、その一部分または全部に孔径が２ｍｍ〜６ｍｍであるメッシュ状の部材が用いられている人工巣穴をいう。
【００２６】
また、ニホンザリガニは安静な環境を好み、さらには平坦な場所で抱卵、脱皮をすることから、図３に示すように、本実施形態の人工巣穴４の居住部４４は飼育容器２の底部に横たわるように配置されるのが好ましいが、上述の通り、出入り口となる開口部４２が敷材３から露出するように人工巣穴４を敷材３に埋設するのが好ましいことから、開口部４２の開口上面４７が露出された状態で敷材３に埋設されるように通路部４３がわん曲した部分を有することが好ましい。
【００２７】
また、本実施形態の人工巣穴４は、開口部４２の開口上面４７の面積に対するユニット３１における最大断面積の比が２５％より大であることが好ましい。
【００２８】
さらに、本考案における人工巣穴４を第一の実施形態として、図４に示す人工巣穴５を第二の実施形態、図５に示す人工巣穴６を第三の実施形態とすることができる。
【００２９】
第二の実施形態の人工巣穴５は、図４に示すように、人工巣穴孔５１を備えたメッシュ状の部材を用いて形成されて、２つ以上の開口部５２、１つまたは２つ以上の通路部５３、および居住部５４を備えている。居住部５４もまた、１つまたは２つ以上備えていればよい。また、通路部５３の長手方向に対する垂直方向の断面の直径５５の長さと比較して居住部５４の長手方向に対する垂直方向の断面の直径５６の長さが大となるように形成されており、通路部５３の長手方向に対する垂直方向の断面の直径５５の長さが１．５ｃｍ〜３．５ｃｍであって居住部５４の長手方向に対する垂直方向の断面の直径５６の長さが４ｃｍ〜７ｃｍであることが好ましい。
【００３０】
また、第二の実施形態の人工巣穴５は、開口部５２の開口上面５７の面積に対するユニット３１における最大断面積の比が２５％より大であることが好ましい。ここで、「最大断面積」とは、ユニット３１において断面をとった場合に、その断面の面積が最も大きくなるようにとった断面におけるその面積をいう。
【００３１】
さらに、上述の通り、第二の実施形態の人工巣穴５は、汚物や餌の食べかすなどが人工巣穴内に滞留しない範囲で、その一部分または全部に孔径が２ｍｍ〜６ｍｍであるメッシュ状の部材が用いられていればよく、例えば図４に示すように、開口部５２において孔径が２ｍｍ〜６ｍｍであるメッシュ状が用いられていなくてもよい。
【００３２】
第三の実施形態の人工巣穴６は、図５に示すように、網目状の人工巣穴孔６１を備えたメッシュ状の部材を用いて形成されて、２つ以上の開口部６２、１つまたは２つ以上の通路部６３、および居住部６４を備えている。居住部６４もまた、１つまたは２つ以上備えていればよい。また、通路部６３の長手方向に対する垂直方向の断面の直径６５の長さと比較して居住部６４の長手方向に対する垂直方向の断面の直径６６の長さが大となるように形成されており、通路部６３の長手方向に対する垂直方向の断面の直径６５の長さが１．５ｃｍ〜３．５ｃｍであって居住部６４の長手方向に対する垂直方向の断面の直径６６の長さが４ｃｍ〜７ｃｍであることが好ましい。
【００３３】
また、第三の実施形態の人工巣穴６は、開口部６２の開口上面６７の面積に対するユニット３１における最大断面積の比が２５％より大であることが好ましい。
【００３４】
本考案における人工巣穴４，５，６の材質としては特に限定されないが、例えば、ポリエチレン、ポリプロピレン、ポリ塩化ビニル、ポリスチレン、アクリル樹脂などの汎用プラスチックや陶器、磁器などを挙げることができる。また、本考案における人工巣穴を１または２以上組み合わせて同時に使用することができる。
【００３５】
以下、本考案に係る水槽内設置型のニホンザリガニ人工孵化・孵化後飼育装置１の作用について、図面を用いて詳細に説明する。
【００３６】
本考案に係るニホンザリガニ人工孵化・孵化後飼育装置１は任意の水槽内に設置して用いる。水槽内にニホンザリガニ人工孵化・孵化後飼育装置１を設置した後、飼育容器２の飼育容器孔２１を介してニホンザリガニ人工孵化・孵化後飼育装置１のほぼ全体に行き渡るように、水温が冬季で２〜４℃程度、春・秋季で１０℃程度、夏季で１５℃程度の冷たくきれいな水を通水する。
【００３７】
通水された適温のきれいな水は、敷材３のユニット３１の立体構造および人工巣穴４，５，６の人工巣穴孔４１，５１，６１を介して、飼育容器２や人工巣穴４，５，６全体に行き渡り、絶えず流水する状態となり、汚物や餌の食べかすなどがユニット３１の立体構造および人工巣穴孔４１，５１，６１を介して敷材３や人工巣穴４，５，６外へ放出され、飼育容器孔２１を介して飼育容器２外すなわちニホンザリガニ人工孵化・孵化後飼育装置１外へ放出される。
【００３８】
また、ニホンザリガニ（図示しない）は、主に人工巣穴４，５，６の居住部４４、５４，６４にて安静に過ごし、抱卵や脱皮、成長をすることができるが、ユニット３１の立体構造によって敷材３も隙間を有することから、人工巣穴４，５，６の開口部４２，５２，６２や通路部４３，５３，６３の他、敷材３のユニット３１同士の隙間でも安静に過ごすことができる。
【００３９】
以上のような本実施形態によれば、以下のような効果を奏する。
１．比較的入手のしやすい材料を用いて、これまで極めて困難とされていたニホンザリガニの人工孵化や孵化後の飼育が比較的容易になる。
２．雌成体の抱卵率を高めるとともに卵数も増加させることができる。
３．食卵、落卵あるいは腐卵の数を減少させ、卵の孵化率を高めることができる。
４．孵化した幼体の生存率を高めることができる。
５．飼育容器の少なくとも天井面を除いた面が透明または半透明であることから、これまで極めて困難とされていたニホンザリガニの抱卵や孵化、孵化後についての様子を観察することができ、学術的な貢献が可能となる。
６．ニホンザリガニの繁殖に貢献することが可能となる。
【００４０】
以下、本考案に係る水槽内設置型のニホンザリガニ人工孵化・孵化後飼育装置について、実施例に基づいて説明する。なお、本考案の技術的範囲は、これらの実施例によって示される特徴に限定されない。
【実施例】
【００４１】
＜実施例１＞飼育容器の検討
六面すべてがアクリル樹脂製のパンチングボードからなる六面体、天井面がアクリル樹脂製のボードからなるとともにその他の五面がアクリル樹脂製のパンチングボードからなる六面体、六面すべてがアクリル樹脂製のボードからなる六面体をそれぞれ作製して飼育容器とし、これに多孔を有する人工巣穴を設置して立体形状を有するユニットからなる敷材を敷きつめ、六面すべてがアクリル樹脂製のパンチングボードからなる六面体、天井面がアクリル樹脂製のボードからなるとともにその他の五面がアクリル樹脂製のパンチングボードからなる六面体を飼育容器とした場合は他の水槽内に設置してその水槽に適温の水を通水することにより、六面すべてがアクリル樹脂製のボードからなる六面体を飼育容器とした場合はそのまま適温の水を通水することにより、ニホンザリガニのつがいを飼育した。餌はいずれのニホンザリガニについても同じ時間に適量を与えた。
【００４２】
その結果、六面すべてがアクリル樹脂製のパンチングボードからなる六面体、天井面がアクリル樹脂製のボードからなるとともにその他の五面がアクリル樹脂製のパンチングボードからなる六面体を飼育容器とした場合は、雌のニホンザリガニは抱卵し、幼体が孵化し、成長するに至ったが、六面すべてがアクリル樹脂製のボードからなる六面体を飼育容器とした場合は、たとえ抱卵に至った場合でも、底に沈殿した汚物などに触れた卵が腐卵となってしまい、幼体の孵化に至らない結果となった。
【００４３】
以上の結果から、六面すべてがアクリル樹脂製のパンチングボードからなる六面体、または天井面がアクリル樹脂製のボードからなるとともにその他の五面がアクリル樹脂製のパンチングボードからなる六面体を飼育容器として、他の水槽内に設置してその水槽に適温の水を通水することにより、ニホンザリガニの人工孵化や孵化後の飼育が可能となることが明らかとなった。
【００４４】
＜実施例２＞敷材の検討
［２−１］敷材の選択についての検討
六面すべてがアクリル樹脂製のパンチングボードからなる六面体を飼育容器として、これに多孔を有する人工巣穴を設置したものを３組用意し、全体として多角形状と反り形状を有する濾材、多角形状と凹凸形状を有する角石、砂をそれぞれ敷材として敷きつめ、実施例１と同様にニホンザリガニのつがいを飼育した。
【００４５】
その結果、全体として多角形状と反り形状を有する濾材、多角形状と凹凸形状を有する角石を敷材とした場合は、雌のニホンザリガニは抱卵し、幼体が孵化し成長するに至ったが、砂を敷材とした場合は、底砂の上に沈殿した汚物などに触れた卵の大半が腐卵となってしまい、また、僅かに幼体が孵化した場合でも、その幼体が身を隠せる場所の確保について何ら留意されていないため、成長するに至らなかった。
【００４６】
以上の結果から、全体として多角形状と反り形状を有する濾材、多角形状と凹凸形状を有する角石を敷材とすることにより、ニホンザリガニの人工孵化や孵化後の飼育が可能となることが明らかとなった。
【００４７】
［２−２］敷材の量についての検討
【００４８】
六面すべてがアクリル樹脂製のパンチングボードからなる六面体を飼育容器として、これに多孔を有する人工巣穴を設置したものを８組用意し、全体として多角形状と反り形状を有する濾材を敷材として、それぞれ飼育容器の底面から５ｃｍ（天井面からの距離が４５ｃｍ）、８ｃｍ（同４２ｃｍ）、１１ｃｍ（同３９ｃｍ）、２０ｃｍ（同３０ｃｍ）、４０ｃｍ（同１０ｃｍ）、４４ｃｍ（同６ｃｍ）、４７ｃｍ（同３ｃｍ）、５０ｃｍ（同０ｃｍ）となるよう敷きつめ、実施例１と同様にニホンザリガニのつがいを飼育した。
【００４９】
その結果、いずれの飼育容器における雌のニホンザリガニも抱卵し、幼体は孵化したが、全体として多角形状と反り形状を有する敷材を飼育容器の底面から５ｃｍ（天井面からの距離が４５ｃｍ）および５０ｃｍ（同０ｃｍ）となるよう敷きつめた場合では、他の場合と比較して雌成体の抱卵率や卵数、孵化した幼体の生存度が若干低下した。
【００５０】
以上の結果から、全体として多角形状と反り形状を有する敷材を、好ましくは飼育容器の底面から８ｃｍ以上、より好ましくは飼育容器の底面から８ｃｍ以上かつ飼育容器の天井面からの距離が３ｃｍ以下となるように敷きつめることにより、ニホンザリガニの人工孵化や孵化後の飼育の効率がより良くなることが明らかとなった。
【００５１】
＜実施例３＞人工巣穴の検討
［３−１］形状の検討
六面すべてがアクリル樹脂製のパンチングボードからなる六面体を飼育容器として４つ用意し、これらに多孔を有して開口部と通路部、居住部をそれぞれ１つずつ備える人工巣穴、多孔を有して開口部を２つ、二股の通路部と居住部をそれぞれ１つずつ備える人工巣穴、多孔を有して開口部と二股の通路部をそれぞれ１つずつ、居住部を２つ備える人工巣穴、孔を有さずに開口部と通路部、居住部をそれぞれ１つずつ備える人工巣穴をそれぞれ設置し、全体として多角形状と反り形状を有する濾材を敷材として、それぞれ飼育容器の底面から８ｃｍ（天井面からの距離が４２ｃｍ）となるよう敷きつめ、実施例１と同様にニホンザリガニのつがいを飼育した。
【００５２】
その結果、多孔を有して開口部と通路部、居住部をそれぞれ１つずつ備える人工巣穴、多孔を有して開口部を２つ、二股の通路部と居住部をそれぞれ１つずつ備える人工巣穴、多孔を有して開口部と二股の通路部をそれぞれ１つずつ、居住部を２つ備える人工巣穴を設置した場合は、雌のニホンザリガニは抱卵し、幼体が孵化し，成長するに至ったが、孔を有さずに開口部と通路部、居住部をそれぞれ１つずつ備える人工巣穴を設置とした場合は、たとえ抱卵に至った場合でも卵は腐卵となってしまい、幼体が孵化しない結果となった。
【００５３】
以上の結果から、多孔を有して開口部と通路部、居住部をそれぞれ１つずつ備える人工巣穴、多孔を有して開口部を２つ、二股の通路部と居住部をそれぞれ１つずつ備える人工巣穴、多孔を有して開口部と二股の通路部をそれぞれ１つずつ、居住部を２つ備える人工巣穴を設置することにより、ニホンザリガニの人工孵化や孵化後の飼育が可能となることが明らかとなった。
【００５４】
［３−２］サイズの検討
多孔を有して開口部と通路部、居住部をそれぞれ１つずつ備える人工巣穴であって、開口部および通路部が連結されたもの、ならびに居住部を自在に組み合わせられるものを用意した。開口部および通路部が連結されたものはそれぞれ、長手方向に対する垂直方向の断面の直径の長さが１．０ｃｍ、１．５ｃｍ、２．０ｃｍ、２．５ｃｍ、３．０ｃｍ、３．５ｃｍ、４．０ｃｍ、４．５ｃｍの８つを、居住部はそれぞれ長手方向に対する垂直方向の断面の直径の長さが２．０ｃｍ、３．０ｃｍ、４．０ｃｍ、５．０ｃｍ、６．０ｃｍ、７．０ｃｍ、８．０ｃｍ、９．０ｃｍの８つを用意し、これらを組み合わせた計６４の人工巣穴について、六面すべてがアクリル樹脂製のパンチングボードからなる六面体を飼育容器として収容し、全体として多角形状と反り形状を有する濾材を敷材として、それぞれ飼育容器の底面から８ｃｍ（天井面からの距離が４２ｃｍ）となるよう敷きつめ、実施例１と同様にニホンザリガニのつがいを飼育した。
【００５５】
その結果、多孔を有して開口部と通路部、居住部をそれぞれ１つずつ備え、通路部の長手方向に対する垂直方向の断面の直径の長さが１．５ｃｍ〜３．５ｃｍ、かつ居住部の長手方向に対する垂直方向の断面の直径の長さが４ｃｍ〜７ｃｍの人工巣穴を飼育容器に収容して用いた場合に、他の場合と比較して雌成体の卵数が増加した。
【００５６】
以上の結果から、多孔を有して開口部と通路部、居住部をそれぞれ１つずつ備え、通路部の長手方向に対する垂直方向の断面の直径の長さが１．５ｃｍ〜３．５ｃｍ、かつ居住部の長手方向に対する垂直方向の断面の直径の長さが４ｃｍ〜７ｃｍの人工巣穴を飼育容器に収容して用いた場合にニホンザリガニの人工孵化や孵化後の飼育の効率がより良くなることが明らかとなった。
【００５７】
［３−３］開口上面の面積の検討
多孔を有して開口部と通路部、居住部をそれぞれ１つずつ備える人工巣穴であって、通路部の長手方向に対する垂直方向の断面の直径の長さが２．０ｃｍかつ居住部の長手方向に対する垂直方向の断面の直径の長さが５．０ｃｍのものを用意した。開口部の開口上面の面積に対する敷材のユニットにおける最大断面積の比、すなわち、（敷材のユニットにおける最大断面積／開口部の開口上面の面積）×１００（単位：％）がそれぞれ１０％、１５％、２０％、２５％、３０％、３５％、４０％、４５％、５０％、６０％、７０％、８０％、１００％の人工巣穴について、六面すべてがアクリル樹脂製のパンチングボードからなる六面体を飼育容器として収容し、全体として多角形状と反り形状を有する濾材を敷材として、それぞれ飼育容器の底面から８ｃｍ（天井面からの距離が４２ｃｍ）となるよう敷きつめ、実施例１と同様にニホンザリガニのつがいを飼育した。
【００５８】
その結果、開口部の開口上面の面積に対する敷材のユニットにおける最大断面積の比が２５％より大である場合、人口巣穴に敷材のユニットがほとんど入り込まなくなった影響を受けてか、安静な環境を保つことができ、その結果、雌成体の抱卵率は上昇し、卵数も増加した。
【００５９】
以上の結果から、多孔を有した人口巣穴について、前記開口部の開口上面の面積に対する前記ユニットにおける最大断面積の比が２５％より大である場合に、ニホンザリガニの人工孵化や孵化後の飼育の効率がより良くなることが明らかとなった。
【符号の説明】
【００６０】
１  ニホンザリガニ人工孵化・孵化後飼育装置
２  飼育容器
３  敷材
４，５，６  人工巣穴
２１  飼育容器孔
３１  ユニット
３２  多角形状
３３  反り形状・凹凸形状
４１，５１，６１  人工巣穴孔
４２，５２，６２  開口部
４３，５３，６３  通路部
４４，５４，６４  居住部
４５，５５，６５  通路部の長手方向に対する垂直方向の断面の直径
４６，５６，６６  居住部の長手方向に対する垂直方向の断面の直径
４７，５７，６７  開口上面
【図１】
0003189901.tif 000003
【図２】
0003189901.tif 000004
【図３】
0003189901.tif 000005
【図４】
0003189901.tif 000006
【図５】
0003189901.tif 000007